【手続補正書】
【提出日】平成21年1月15日(2009.1.15)
【手続補正１】
【補正対象書類名】特許請求の範囲
【補正対象項目名】全文
【補正方法】変更
【補正の内容】
【特許請求の範囲】
【請求項１】
通信パラメータの設定を行うための第１のネットワークを形成する形成手段と、
前記形成手段により形成した前記第１のネットワーク上に存在する他の通信装置の能力情報に基づいて、第２のネットワークを形成するための通信パラメータを提供する提供装置、及び該提供装置から前記通信パラメータを受信する受信装置を選定する選定手段と、
前記選定手段により前記提供装置と前記受信装置のいずれにも選定されなかった装置に対して、通信パラメータの設定の中止を通知する通知手段と、
を備えることを特徴とする通信装置。
【請求項２】
前記第１のネットワーク上に存在する前記他の通信装置の能力情報を収集する収集手段を備え、
前記選定手段は、前記収集手段により収集した情報に基づいて、前記提供装置と前記受信装置を選定することを特徴とする請求項１記載の通信装置。
【請求項３】
前記他の通信装置の能力情報は、前記他の通信装置が通信パラメータを提供する能力を有するか通信パラメータを受信する能力を有するかを示すサービス属性を含むことを特徴とする請求項１又は２に記載の通信装置。
【請求項４】
前記他の通信装置の能力情報は、前記他の通信装置が入力機器であるか出力機器であるかを示す機器種別を含むことを特徴とする請求項１から３のいずれか１項に記載の通信装置。
【請求項５】
通信パラメータを設定する装置の組み合わせとして、優先的に選択する組み合わせの情報を記憶する記憶手段を更に備え、
前記選定手段は、前記記憶手段により記憶する情報と、前記他の通信装置の能力情報と、に基づいて、前記提供装置と前記受信装置を選定することを特徴とする請求項１から４のいずれか１項に記載の通信装置。
【請求項６】
前記通知手段は、前記選定手段により前記提供装置に選定された装置に対して、前記通信パラメータの提供要求と前記受信装置の識別情報とを通知し、前記選定手段により前記受信装置に選定された装置に対して、前記通信パラメータの受信要求と前記提供装置の識別情報とを通知することを特徴とする請求項１から５のいずれか１項に記載の通信装置。
【請求項７】
通信パラメータの設定を行うための第１のネットワークを形成する形成手段と、
前記形成手段により形成した前記第１のネットワーク上に存在する他の通信装置の能力情報として、通信パラメータの提供能力を有するか通信パラメータの受信能力を有するかを示す第一の情報と、入力機器か出力機器かを示す第二の情報を判別する判別手段と、
前記第一の情報に基づいて、第２のネットワークを形成するための通信パラメータを設定する装置の組み合わせを少なくとも一組抽出する第一の抽出手段と、
前記第二の情報に基づいて、前記第一の抽出手段により抽出した組み合わせの中から、通信パラメータを設定する装置の組み合わせを少なくとも一組抽出する第二の抽出手段と、
第二の抽出手段により抽出した組み合わせに基づいて、前記通信パラメータを提供する提供装置、及び該提供装置から前記通信パラメータを受信する受信装置を選定する選定手段と、
を備えることを特徴とする通信装置。
【請求項８】
通信パラメータを設定する装置の組み合わせとして、優先的に選択する組み合わせの情報を記憶する記憶手段を更に備え、
前記選定手段は、前記記憶手段により記憶する情報に基づいて、前記提供装置と前記受信装置を選定することを特徴とする請求項７記載の通信装置。
【請求項９】
通信パラメータを設定するための通信装置の制御方法であって、
通信パラメータの設定を行うための第１のネットワークを形成する形成工程と、
前記形成工程において形成された前記第１のネットワーク上に存在する通信装置の能力情報に基づいて、第２のネットワークを形成するための通信パラメータを提供する提供装置、及び該提供装置から前記通信パラメータを受信する受信装置を選定する選定工程と、
前記選定工程において前記提供装置と前記受信装置のいずれにも選定されなかった装置に対して、通信パラメータの設定の中止を通知する通知工程と、
を備えることを特徴とする通信装置の制御方法。
【請求項１０】
通信パラメータを設定するための通信方法であって、
複数の通信装置が、通信パラメータ設定用の第１のネットワークを構築し、
前記第１のネットワーク上に存在する複数の通信装置の中から第２のネットワークを形成するための通信パラメータを提供する提供装置、及び該提供装置から前記通信パラメータを受信する受信装置を選定する選定装置を決定し、
前記選定装置が、前記第１のネットワーク上に存在する他の通信装置の能力情報に基づいて、前記提供装置と前記受信装置を選定し、
前記提供装置と前記受信装置のいずれにも選定されなかった通信装置は、前記通信パラメータの設定を中止することを特徴とする通信方法。
【請求項１１】
通信システムであって、
通信パラメータを設定するための第１のネットワーク上に存在する複数の通信装置の中から決定された選定装置は、
前記第１のネットワーク上に存在する他の通信装置の能力情報に基づいて、第２のネットワークを形成するための通信パラメータを提供する提供装置、及び該提供装置から前記通信パラメータを受信する受信装置を選定する選定手段と、
前記選定手段により前記提供装置、又は前記受信装置に選定された装置に対して、通信パラメータの設定の実行要求を通知し、前記提供装置と前記受信装置のいずれにも選定されなかった装置に対して、通信パラメータの設定の中止要求を通知する通知手段と、を備え、
前記選定装置以外の他の通信装置は、前記通信パラメータの設定の実行要求もしくは中止要求を受信する受信手段と、
前記受信手段による受信に応じて、前記通信パラメータの設定の実行、もしくは中止を選択的に実行する制御手段と、
を備えることを特徴とする通信システム。
【請求項１２】
請求項９記載の通信装置の制御方法もしくは請求項１０記載の通信方法をコンピュータに実行させるためのプログラム。
【手続補正２】
【補正対象書類名】明細書
【補正対象項目名】０００８
【補正方法】変更
【補正の内容】
【０００８】
上記課題を解決するため、本発明は、通信装置であって、通信パラメータの設定を行うための第１のネットワークを形成する形成手段と、前記形成手段により形成した前記第１のネットワーク上に存在する他の通信装置の能力情報に基づいて、第２のネットワークを形成するための通信パラメータを提供する提供装置、及び該提供装置から前記通信パラメータを受信する受信装置を選定する選定手段と、
前記選定手段により前記提供装置と前記受信装置のいずれにも選定されなかった装置に対して、通信パラメータの設定の中止を通知する通知手段と、
を備えることを特徴とする。
【手続補正３】
【補正対象書類名】明細書
【補正対象項目名】０００９
【補正方法】変更
【補正の内容】
【０００９】
また、本発明は、通信装置であって、通信パラメータの設定を行うための第１のネットワークを形成する形成手段と、前記形成手段により形成した前記第１のネットワーク上に存在する他の通信装置の能力情報として、通信パラメータの提供能力を有するか通信パラメータの受信能力を有するかを示す第一の情報と、入力機器か出力機器かを示す第二の情報を判別する判別手段と、前記第一の情報に基づいて、第２のネットワークを形成するための通信パラメータを設定する装置の組み合わせを少なくとも一組抽出する第一の抽出手段と、前記第二の情報に基づいて、前記第一の抽出手段により抽出した組み合わせの中から、通信パラメータを設定する装置の組み合わせを少なくとも一組抽出する第二の抽出手段と、第二の抽出手段により抽出した組み合わせに基づいて、前記通信パラメータを提供する提供装置、及び該提供装置から前記通信パラメータを受信する受信装置を選定する選定手段と、を備えることを特徴とする。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
さらにまた、本発明は、通信パラメータを設定するための通信装置の制御方法であって、通信パラメータの設定を行うための第１のネットワークを形成する形成工程と、前記形成工程において形成された前記第１のネットワーク上に存在する通信装置の能力情報に基づいて、第２のネットワークを形成するための通信パラメータを提供する提供装置、及び該提供装置から前記通信パラメータを受信する受信装置を選定する選定工程と、前記選定工程において前記提供装置と前記受信装置のいずれにも選定されなかった装置に対して、通信パラメータの設定の中止を通知する通知工程と、を備えることを特徴とする。
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
さらにまた、本発明は、通信パラメータを設定するための通信方法であって、複数の通信装置が、通信パラメータ設定用の第１のネットワークを構築し、前記第１のネットワーク上に存在する複数の通信装置の中から第２のネットワークを形成するための通信パラメータを提供する提供装置、及び該提供装置から前記通信パラメータを受信する受信装置を選定する選定装置を決定し、前記選定装置が、前記第１のネットワーク上に存在する他の通信装置の能力情報に基づいて、前記提供装置と前記受信装置を選定し、前記提供装置と前記受信装置のいずれにも選定されなかった通信装置は、前記通信パラメータの設定を中止することを特徴とする。
【手続補正８】
【補正対象書類名】明細書
【補正対象項目名】００１４
【補正方法】変更
【補正の内容】
【００１４】
さらにまた、本発明は、通信システムであって、通信パラメータを設定するための第１のネットワーク上に存在する複数の通信装置の中から決定された選定装置は、前記第１のネットワーク上に存在する他の通信装置の能力情報に基づいて、第２のネットワークを形成するための通信パラメータを提供する提供装置、及び該提供装置から前記通信パラメータを受信する受信装置を選定する選定手段と、前記選定手段により前記提供装置、又は前記受信装置に選定された装置に対して、通信パラメータの設定の実行要求を通知し、前記提供装置と前記受信装置のいずれにも選定されなかった装置に対して、通信パラメータの設定の中止要求を通知する通知手段と、を備え、前記選定装置以外の他の通信装置は、前記通信パラメータの設定の実行要求もしくは中止要求を受信する受信手段と、
前記受信手段による受信に応じて、前記通信パラメータの設定の実行、もしくは中止を選択的に実行する制御手段と、を備えることを特徴とする。
【手続補正９】
【補正対象書類名】明細書
【補正対象項目名】００７２
【補正方法】変更
【補正の内容】
【００７２】
ここで、組み合わせが１つに絞り込まれた場合（９１０のＹｅｓ）、その組み合わせに決定し、９１２に進む。絞り込んだ結果、組み合わせが複数ある場合は（９１０のＮｏ）、予め記憶していた優先組み合わせパターンを調べ、絞り込んだ組み合わせの中にそのパターンがあれば、その組み合わせに決定する（９１１）。そして９１２に進む。
【手続補正１０】
【補正対象書類名】明細書
【補正対象項目名】００９１
【補正方法】変更
【補正の内容】
【００９１】
続いてＰＲＮ３０２の無線通信ボタンが押されると、同様にしてＰＲＮ３０２はマスター機器を検索するために”Ｗｈｏ  ｉｓ  Ｍａｓｔｅｒ？”  信号をブロードキャストで送信（６０４）する。
【手続補正１１】
【補正対象書類名】明細書
【補正対象項目名】００９７
【補正方法】変更
【補正の内容】
【００９７】
“Ｃａｐａｂｉｌｉｔｙ  Ｒｅｓｐｏｎｓｅ”をＤＳＣ３０１が受信すると、フラッシュＲＯＭ１１３の機器能力テーブルに、各機器の機器属性等の能力を記憶する。ここで機器能力テーブルとそれを基にした通信パラメータを設定する機器の選定方法について図８を用いて説明する。